(57)【要約】【課題】  断熱容器内の温度上昇を可能な限り抑えながら除霜することができる保冷庫を提供すること。【解決手段】  断熱容器２内をスターリング冷凍機２４によって冷凍する保冷庫としての冷凍コンテナ１において、この冷凍コンテナ１の制御回路３８が、前記スターリング冷凍機２４の吸熱部２４Ｃ近傍に設けられる吸熱用熱交換器としてのヒートシンク３０に付着した霜を除去するために、前記スターリング冷凍機２４及び冷却ファン３２を停止させると共に、前記ヒートシンク３０に伝熱的に接した発熱手段としての前記ヒータ３１を作動させるものであり、前記冷却ユニット４に冷却室１３と前記断熱容器２内空間とを隔てる仕切壁２１を設けたことで、前記ヒータ３１の作動で温度が上昇した前記冷却室１３内の空気が前記断熱容器２内空間に殆ど流入しないようにして、除霜時における前記断熱容器２内の温度上昇を抑えることができる。【選択図】図３
2007057178.tif 000002
【特許請求の範囲】
【請求項１】
断熱容器と、この断熱容器内を冷却する冷却ユニットを有し、
前記冷却ユニットが、機械室と冷却室を有し、
前記機械室にスターリング冷凍機を有し、
前記冷却室に、前記スターリング冷凍機の吸熱部近傍に熱的に接して設けられる吸熱用熱交換器と、前記吸熱用熱交換器に前記断熱容器内の空気を送る冷却ファンとを有してなる保冷庫において、
前記吸熱用熱交換器に対して熱的に接するように発熱手段を設け、
前記冷却ユニットが前記冷却室と断熱容器内空間とを隔てる仕切壁を有すると共に、
除霜時に前記発熱手段を作動させると共に前記スターリング冷凍機及び冷却ファンを停止させる制御回路を有することを特徴とする保冷庫。
【請求項２】
前記仕切壁が前記冷却室の下方で且つ前記断熱容器内空間の上方に設けられていることを特徴とする請求項１記載の保冷庫。
【請求項３】
前記スターリング冷凍機自体を冷却するための排熱ファンを設けると共に、除霜時に前記排熱ファンを停止させることを特徴とする請求項１又は２記載の保冷庫。
【発明の詳細な説明】
【技術分野】
【０００１】
本発明は、保冷庫に関するものであり、特に、極めて低い温度を作り出すことができるスターリング冷凍機を用いた保冷庫に関するものである。
【背景技術】
【０００２】
従来、この種の保冷庫としては、保冷庫本体（本発明の断熱容器に該当する）の機械室にフリーピストン型スターリング冷凍機を収容し、このスターリング冷凍機のコールドヘッド部（本発明の吸熱部に該当する）に冷却器（本発明の吸熱用熱交換器に該当する）を取り付けると共に、この冷却器に送風する送風手段（本発明の冷却ファンに該当する）を有する保冷庫が知られている（例えば、特許文献１参照。）。そして、このような保冷庫では、前記スターリング冷凍機のコールドヘッドが極めて低温になるため、このコールドヘッドに取り付けられた冷却器に着霜してしまい、冷却効率が低下してしまうので、前記冷却器に生じた霜を除くために、前記スターリング冷凍機を停止させると共に、前記冷却器の近傍に設けられたヒータに通電することで、前記冷却器を加熱して霜を融解させて除霜を行っていた。
【特許文献１】特開２００１−３０４７４５号公報
【発明の開示】
【発明が解決しようとする課題】
【０００３】
しかしながら、このような保冷庫においては、除霜時にヒータが発した熱によって冷却室内の温度が上昇してしまう虞があった。
【０００４】
本発明は以上の問題点を解決し、断熱容器内の温度上昇を可能な限り抑えながら除霜することができる保冷庫を提供することを目的とする。
【課題を解決するための手段】
【０００５】
本発明の請求項１に記載の保冷庫は、断熱容器と、この断熱容器内を冷却する冷却ユニットを有し、前記冷却ユニットが、機械室と冷却室を有し、前記機械室にスターリング冷凍機を有し、前記冷却室に、前記スターリング冷凍機の吸熱部近傍に熱的に接して設けられる吸熱用熱交換器と、前記吸熱用熱交換器に前記断熱容器内の空気を送る冷却ファンとを有してなる保冷庫において、前記吸熱用熱交換器に対して熱的に接するように発熱手段を設け、前記冷却ユニットが前記冷却室と断熱容器内空間とを隔てる仕切壁を有すると共に、除霜時に前記発熱手段を作動させると共に前記スターリング冷凍機及び冷却ファンを停止させる制御回路を有するものである。
【０００６】
また、本発明の請求項２に記載の保冷庫は、請求項１において、前記仕切壁が前記冷却室の下方で且つ前記断熱容器内空間の上方に設けられているものである。
【０００７】
更に、本発明の請求項３に記載の保冷庫は、請求項１又は２において、前記スターリング冷凍機自体を冷却するための排熱ファンを設けると共に、除霜時に前記排熱ファンを停止させるものである。
【発明の効果】
【０００８】
本発明の請求項１に記載の保冷庫は、以上のように構成することにより、前記制御回路によって前記スターリング冷凍機と冷却ファンを駆動することで、前記断熱容器内の空気が、前記冷却ファンによって前記スターリング冷凍機の吸熱部近傍に設けられた吸熱用熱交換器に送られ、この吸熱用熱交換器によって前記空気が冷却され、この冷却された空気が前記断熱容器内に戻ることで、この断熱容器内を冷却することができる。そして、前記吸熱用熱交換器に霜が付着すると、前記制御回路が前記スターリング冷凍機及び冷却ファンを停止させると共に、前記吸熱用熱交換器に対して熱的に接した前記発熱手段を作動させることで、前記発熱手段が発した熱の大部分が前記吸熱用熱交換器に移動して、前記吸熱用熱交換器に付着した霜を効果的に融解させることができるばかりでなく、前記冷却室と断熱容器内空間とが前記仕切壁によって仕切られていることで、除霜によって温度が上昇した前記冷却室内の空気が前記断熱容器内空間に殆ど流れないので、除霜時に前記断熱容器内空間の温度が上昇してしまう虞を減ずることができる。
【０００９】
また、本発明の請求項２に記載の保冷庫は、以上のように構成することにより、前記冷却室内の空気が除霜によって温度が上昇することで密度が低くなり、前記断熱容器内空間へ流出し難くなるので、除霜時に前記断熱容器内空間の温度が上昇してしまう虞を更に減ずることができる。
【００１０】
更に、本発明の請求項３に記載の保冷庫は、以上のように構成することにより、除霜時に前記排熱ファンが停止することで、前記スターリング冷凍機自体の放熱が阻害され、これによって、前記吸熱部を経て前記吸熱用熱交換器に至る前記スターリング冷凍機自身の熱が増加することになり、前記吸熱用熱交換器に付着した霜を効果的に融解させることができる。
【発明を実施するための最良の形態】
【００１１】
以下、本発明の第一の実施形態について、図１乃至図６に基づいて説明する。１は保冷庫としての物流用冷凍コンテナである。この冷凍コンテナ１は、上部に開口部２Ａを有する断熱容器２と、前記開口部２Ａの一部を開閉自在に閉塞すると共に、前記断熱容器２の一部を構成する蓋体３と、前記開口部２Ａの余部を覆うように取り付けられる冷却ユニット４とで構成されている。そして、前記断熱容器２は、発泡合成樹脂や真空断熱材等から成る断熱材５の表面を熱反射フィルム６で被覆することで構成されている。また、前記蓋体３も、前記断熱容器２と同様に、発泡合成樹脂や真空断熱材等から成る断熱材７の表面を熱反射フィルム８で被覆することで構成されている。
【００１２】
前記冷却ユニット４は、合成樹脂等から成る上外殻体９及び下外殻体１０と、これらの外殻体９，１０内に設けられる断熱壁１１とを有して構成されている。なお、この断熱壁１１は、発泡合成樹脂や真空断熱材等から構成されている。そして、前記冷却ユニット４は、この冷却ユニット４の外部と連通する機械室１２と、前記断熱容器２内と連通する冷却室１３とに区画されている。そして、前記冷却室１３における前記上外殻体９の内側及び前記冷却室１３と機械室１２の境界に、前記断熱壁１１が設けられている。更に、この断熱壁１１には、後述するスターリング冷凍機２４の吸熱部２４Ｃを挿通するための貫通孔１４が形成されている。そして、前記上外殻体９には、前記機械室１２と外部とを連通させる吸気口１５及び排気口１６が形成されている。また、前記下外殻体１０には、前記冷却室１３と断熱容器２内とを連通させる吸気口１７及び排気口１８が形成されていると共に、後述するヒートシンク３０の下方に取付部１９が形成されており、この取付部１９に対して水受け皿２０が着脱自在に取り付けられている。そして、前記下外殻体１０における前記吸気口１７と排気口１８の間の部分１０Ａ及び前記水受け皿２０によって、仕切壁２１が構成されている。また、前記下外殻体１０には、前記冷却室１３内において、後述するヒートシンク３０の上流側と下流側を区切って屈曲した後述する風路３４を構成する立壁１０Ｂが形成されている。
【００１３】
前記機械室１２には、冷凍機ユニット２２が収容されている。この冷凍機ユニット２２は、略筒状のケーシング２３と、このケーシング２３内に略同軸状に収容されているスターリング冷凍機２４と、排熱ファン２５とを有して構成されている。前記ケーシング２３は、その両端が開口しており、その一端側の開口から前記スターリング冷凍機２４の筒状部２４Ａが突出すると共に、前記スターリング冷凍機２４の筒状部２４Ａ基端側の排熱部２４Ｂに伝熱的に設けられた排熱フィン２６が前記一端側の開口に位置するように、前記スターリング冷凍機２４が前記ケーシング２３内に配置されている。そして、前記排熱フィン２６の外周部と前記ケーシング２３の一端側開口の内面との隙間には、これらの隙間を封止するための封止部材２７が設けられている。また、前記スターリング冷凍機２４の筒状部２４Ａ先端側の吸熱部２４Ｃ近傍には伝熱ブロック２８が伝熱的に取り付けられており、前記吸熱部及び伝熱ブロック２８が、前記貫通孔１４から前記冷却室１３に露出している。また、前記筒状部２４Ａにおける吸熱部２４Ｃから中間部２４Ｄにかけて、前記筒状部２４Ａと貫通孔１４の隙間を塞ぐと共に、外気の持つ熱が前記中間部２４Ｄから吸熱部２４Ｃに移動しないように、断熱封止部材２９が設けられている。更に、前記ケーシング２３の他端側の開口には、前記排熱ファン２５が取り付けられている。そして、前記他端側開口は、前記排気口１６に臨んで設けられている。
【００１４】
前記貫通孔１４から前記冷却室１３に露出した前記スターリング冷凍機２４の吸熱部２４Ｃに取り付けられた伝熱ブロック２８には、吸熱用熱交換器としてのヒートシンク３０が伝熱的に取り付けられている。このヒートシンク３０は、アルミニウムや銅等、熱伝導性の良好な金属によって構成されていると共に、フィン３０Ａが略垂直方向に延びるように構成されている。そして、前記ヒートシンク３０の基部３０Ｂの裏側には、この基部３０Ｂと伝熱的に接するように、発熱手段としてのヒータ３１が設けられている。また、前記ヒートシンク３０と対向して、冷却ファン３２が設けられている。なお、この冷却ファン３２は、前記ヒートシンク３０に対して気流を吹き付けるように構成されていると共に、前記ヒートシンク３０の直下以外の位置に（図３においては、前記ヒートシンク３０の左側に対向して）設けられている。更に、前記ヒートシンク３０の基部３０Ｂには、前記ヒートシンク３０の温度を検知する温度センサ３３が設けられている。そして、前記冷却ファン３２を回転させることで、前記吸気口１７から前記冷却ファン３２及びヒートシンク３０を通過し、前記機械室１２の下方を通って前記排気口１８に至る風路３４が構成される。なお、３５はスイッチ、３６は前記断熱容器２内の温度を検知するための容器内温度センサ、３７は前記スターリング冷凍機２４の排熱部２４Ｂの温度を検知するための冷凍機温度センサ、３８は制御回路である。
【００１５】
次に、本実施形態の作用について説明する。まず使用者は、前記断熱容器２の開口部２Ａに前記蓋体３及び冷却ユニット４を取り付ける。そして、図示しない電源コードを自動車用バッテリー等の直流電源Ｂに接続した後、前記スイッチ３５を操作すると、前記制御回路３８によって、前記スターリング冷凍機２４及び排熱ファン２５、冷却ファン３２を作動させる冷凍モードが実行される。また、前記スイッチ３５の操作と同時に、前記制御回路３８は計時を開始する。このようにして前記スターリング冷凍機２４が作動すると、前記排熱部２４Ｂに熱が発生すると共に、前記吸熱部２４Ｃに冷熱が発生する。なお、図６において、前記スターリング冷凍機２４は、冷凍モード時において常時ＯＮになっているが、これは説明の簡略化のためであり、実際には、前記温度センサ３６，３７及び着霜センサ３３からの入力に基づいて、前記制御回路３８によって駆動電圧を制御することで駆動される。また、前記排熱ファン２５が作動することで、前記吸気口１５から吸い込まれ、前記ケーシング２３内を通って前記排気口１６から排出される気流が形成される。そして、前記気流は、前記ケーシング２３の一端側開口を通る際に、前記排熱フィン２６を通過する。このため、前記排熱部２４Ｂで発生した熱は、前記排熱フィン２６に移動した後、前記気流に奪われ、前記排気口１６から冷却ユニット４外に排出される。更に、前記吸熱部２４Ｃで発生した冷熱は、前記伝熱ブロック２８を経て前記ヒートシンク３０に至る。そして、前記冷却ファン３２が作動していることで、前記断熱容器２内から前記吸気口１７を通り、前記冷却ファン３２によって前記ヒートシンク３０に吹き付けられ、前記風路３４を通って前記排気口１８から前記断熱容器２内に戻る循環気流が形成される。そして、この循環気流は、前記冷却ファン３２によって前記ヒートシンク３０に吹き付けられることで、このヒートシンク３０の冷熱を奪う。これによって、前記循環気流は冷却される。そして、前記循環気流が冷却されることで、前記断熱容器２内の空気も冷却され、これによって、前記断熱容器２内が冷凍可能な状態となる。
【００１６】
そして、このように前記断熱容器２内の冷凍を継続すると、この断熱容器２内の空気、或いは前記蓋体３を開閉することで前記断熱容器２内に入った空気に含まれる水分が前記ヒートシンク３０の表面に着霜する。特に、前記スターリング冷凍機２４は極めて低い温度を効率よく作り出せるので、その分、前記ヒートシンク３０の表面に着霜しやすいといえる。そして、このように前記ヒートシンク３０、特に前記フィン３０Ａ間に着霜すると、前記冷却ファン３２が発生させた気流が、前記ヒートシンク３０の表面に直接触れなくなるばかりでなく、前記フィン３０Ａ間を気流が通過しにくくなるので、前記断熱容器２内の冷凍効率が低下してしまう。このため、前記ヒートシンク３０に着霜した場合、除霜モードを実行することで除霜する必要がある。前記制御回路３８は、前記スイッチ３５の操作から時間ｔ１を計時すると、前記スターリング冷凍機２４、排熱ファン２５及び冷却ファン３２を停止させる。そして、前記制御回路３８は、前記冷却ファン３２が停止してから循環気流が停止するのに充分な時間ｔ２が経過した後、前記ヒータ３１に通電する。そして、このように前記ヒータ３１に通電すると、このヒータ３１が伝熱的に接した前記ヒートシンク３０が加熱されることで、このヒートシンク３０に付着した霜が融かされる。なお、前記スターリング冷凍機２４が停止することで、このスターリング冷凍機２４の排熱部２４Ｂ及び胴部２４Ｅの熱の一部が逆流し、前記吸熱部２４Ｃから前記伝熱ブロック２８を介して前記ヒートシンク３０に移動する。また、前述したように、前記スターリング冷凍機２４を停止させるのと同時に前記排熱ファン２５を停止させているので、前記機械室１２内の気流が消滅して前記冷却ユニット４外へ排出される熱が減少し、これによって、前記機械室１２内の温度が上昇して、前記排熱部２４Ｂから前記排熱フィン２６を介して前記機械室１２内の空気へ移動する熱量が減少するばかりでなく、前記胴部２４Ｅから前記機械室１２内の空気へ移動する熱量も減少するので、前記吸熱部２４Ｃへ移動する熱量が多くなる。このため、前記ヒートシンク３０に付着した霜は、前記ヒータ３１が発した熱及び前記スターリング冷凍機２４の排熱部２４Ｂ及び胴部２４Ｅから移動した熱によって、効率よく融かされることになる。なお、前記ヒータ３１が発した熱及び前記排熱部２４Ｂや胴部２４Ｅから前記ヒートシンク３０に移動した熱の大部分は、このヒートシンク３０に付着した霜の融解熱となり、前記ヒートシンク３０の温度が０℃前後までしか上昇しないので、除霜モード前期では、前記冷却室１３内の温度上昇が最小限に抑えられる。
【００１７】
なお、このように除霜モードを実行することで、霜が融かされて液体状の水（除霜水）が生ずるが、この除霜水は、前記水受け皿２０に滴下して溜められる。この時、前記冷却ファン３２が前記ヒートシンク３０の側方（即ち前記ヒートシンク３０の直下以外の位置）に対向して設けられていることで、滴下した除霜水が前記冷却ファン３２に落下することがなく、これによって、前記ファン３２の故障が防止される。そして、このように除霜水が溜められた前記水受け皿２０は、前記冷凍コンテナ１の使用後等に、前記断熱容器２の開口部２Ａから前記冷却ユニット４を取り外した後、前記取付部１９から前記水受け皿２０を取り外すことで、廃棄される。
【００１８】
除霜モード後期では、前記ヒートシンク３０に付着した霜が全て融けてしまうことで、前記ヒータ３１が発した熱及び前記スターリング冷凍機２４の排熱部２４Ｂ及び胴部２４Ｅから移動した熱が前記ヒートシンク３０の温度を上げることになり、この結果、前記ヒートシンク３０から放熱されることで前記冷却室１３内の温度が上昇する。しかしながら、前記冷却室１３は、前記吸気口１７と排気口１８を除いて、前記仕切壁２１によって隔てられているばかりでなく、前記冷却ユニット４が前記断熱容器２の上部の開口部２Ａに乗せられていることで、前記冷却室１３が前記断熱容器２内よりも高い位置にあるので、温度が高く密度の低い前記冷却室１３内の空気が、温度が低く密度の高い空気で満たされた前記断熱容器２内に殆ど流入せず、従って、前記断熱容器２内の温度上昇を小さく抑えることができる。また、図３に示すように、前記下外殻体１０に前記立壁１０Ｂが形成されており、この立壁１０Ｂによって前記ヒートシンク３０の上流側と下流側が区画されていると共に、前記冷却室１３における前記ヒートシンク３０の上流側が比較的高く、下流側が比較的低く形成されているので、前記ヒートシンク３０によって温められた空気は前記冷却室１３内において上昇し、自然対流によって主に前記ヒートシンク３０の上流側の空間に流れる。そして、前記立壁１０Ｂによって前記ヒートシンク３０の上流側と下流側が区画されているので、前記ヒートシンク３０によって温められて前記ヒートシンク３０の上流側に流れた空気が前記ヒートシンク３０の下流側に流れることが防止される。従って、前記冷却室１３内において、前記ヒートシンク３０の下流側よりも上流側の温度が比較的高くなっている。
【００１９】
そして、前記温度センサ３３が所定の温度Ｔ１（＞０℃）を検知すると、除霜が完了したと判断して除霜モードを終了させ、前記スターリング冷凍機２４及び排熱ファン２５を作動させる冷凍モードを再度実行する。なお、再開された冷凍モードの初期段階では、前記冷却ファン３２は作動されない。そして、前記スターリング冷凍機２４の作動によって前記ヒートシンク３０の温度が低下し、前記冷却室１３内の空気を冷却する。この際、前記ヒートシンク３０の上流側の温かい空気から主として熱が奪われ、前記ヒートシンク３０によって冷却された空気は前記冷却室１３内において下降し、自然対流によって主に前記ヒートシンク３０の下流側の空間に流れる。そして、前記立壁１０Ｂによって前記ヒートシンク３０の上流側と下流側が区画されているので、前記ヒートシンク３０によって冷却されて前記ヒートシンク３０の下流側に流れた空気が前記ヒートシンク３０の上流側に流れることが防止される。従って、前記冷却室１３内において、前記ヒートシンク３０の上流側よりも下流側の温度が比較的低くなっている。そして、前記温度センサ３３が検知した温度Ｔ２と前記容器内温度センサ３６が検知した温度Ｔ２とが一致すると、前記制御回路３８は前記冷却ファン３２を作動させる。この際、前記冷却室１３内は前記スターリング冷凍機２４によって充分に冷却されていると共に、前記冷却室１３及び前記断熱容器２内の空気から熱を奪う前記ヒートシンク３０の温度Ｔ２が前記断熱容器２内の空気の温度Ｔ２と同じであるので、前記冷却ファン３２を作動させて前記冷却室１３内の空気を前記断熱容器２内に送ったとしても、この断熱容器２内の温度が殆ど上昇しないようにすることができる。更に、前述したように、前記冷却室１３内における前記ヒートシンク３０の上流側よりも下流側が比較的低温であることから、前記冷却ファン３２の作動によって、まず前記ヒートシンク３０の下流側の比較的低温の空気が前記排気口１８から前記断熱容器２内に排出された後、前記ヒートシンク３０の上流側の比較的高温の空気が前記ヒートシンク３０で熱を奪われて低温となり、前記排気口１８から前記断熱容器２内に排出される。このように、前記ヒートシンク３０の上流側と下流側の間に前記立壁１０Ｂが設けられていることで、前記ヒートシンク３０によって温められて前記ヒートシンク３０の上流側に流れた温かい空気が前記ヒートシンク３０の下流側に流れたり、前記ヒートシンク３０によって冷却されて前記ヒートシンク３０の下流側に流れた冷たい空気が前記ヒートシンクの上流側に流れたりして、前記ヒートシンク３０の下流側の空気が充分に冷却されず、前記冷却ファン３２の作動初期において前記排気口１８から比較的温かい空気が前記断熱容器２内に排出されて前記断熱容器２内の温度を上昇させてしまう、ということが起きないようにすることができる。
【００２０】
以上のように本発明は、断熱容器２内をスターリング冷凍機２４によって冷凍する保冷庫としての冷凍コンテナ１において、この冷凍コンテナ１の制御回路３８が、前記スターリング冷凍機２４の吸熱部２４Ｃ近傍に設けられる吸熱用熱交換器としてのヒートシンク３０に付着した霜を除去するために、前記スターリング冷凍機２４及び冷却ファン３２を停止させると共に、前記ヒートシンク３０に伝熱的に接した発熱手段としての前記ヒータ３１を作動させるものであり、前記冷却ユニット４に前記冷却室１３と断熱容器２内空間とを隔てる前記仕切壁２１を設けたことで、前記ヒータ３１の作動によって温度が上昇した前記冷却室１３内の空気が、前記仕切壁２１によって前記断熱容器２内空間に殆ど流入しないようにして、除霜時における前記断熱容器２内の温度上昇を抑えることができるものである。
【００２１】
また、本発明は、前記冷却ユニット４が前記断熱容器２の上部の開口部２Ａに乗せられていることで、前記冷却室１３が前記断熱容器２内よりも高い位置にあり、これらの間に前記仕切壁２１が設けられているので、温度が高く密度の低い前記冷却室１３内の空気が、温度が低く密度の高い空気で満たされた前記断熱容器２内に流入することを抑えることができ、従って、前記断熱容器２内の温度上昇を小さく抑えることができる。
【００２２】
更に、本発明は、前記スターリング冷凍機２４の作動時にこのスターリング冷凍機２４自体を冷却するための排熱ファン２５を、除霜時に停止させるものであり、除霜時に前記スターリング冷凍機２４から前記冷蔵コンテナ１外への排熱を阻害させることで、前記ヒートシンク３０へ逆流する熱を増加させて、より効率よく前記ヒートシンク３０に付着した霜を融かすことができるものである。
【００２３】
なお、本発明は以上の実施形態に限定されるものではなく、発明の要旨の範囲内で種々の変形が可能である。例えば、上記実施形態において、前記冷却ユニットの下外殻体の一部と水受け皿によって仕切壁が構成されているが、これ以外の要素によって仕切壁を形成してもよい。
【図面の簡単な説明】
【００２４】
【図１】本発明の第一の実施形態を示す正面図である。
【図２】同上、平面図である。
【図３】同上、Ｘ−Ｘ断面図である。
【図４】同上、Ｙ−Ｙ断面図である。
【図５】同上、電気系統のブロック図である。
【図６】同上、動作説明図である。
【符号の説明】
【００２５】
１  冷凍コンテナ（保冷庫）
２  断熱容器
３  蓋体（断熱容器）
２４  スターリング冷凍機
２４Ｃ  吸熱部
２５  排熱ファン
３０  ヒートシンク（吸熱用熱交換器）
３１  ヒータ（発熱手段）
３２  冷却ファン
３３  温度センサ
３８  制御回路
【図１】
2007057178.tif 000003
【図２】
2007057178.tif 000004
【図３】
2007057178.tif 000005
【図４】
2007057178.tif 000006
【図５】
2007057178.tif 000007
【図６】
2007057178.tif 000008